【手続補正書】
【提出日】平成16年9月6日(2004.9.6)
【手続補正１】
【補正対象書類名】特許請求の範囲
【補正対象項目名】全文
【補正方法】変更
【補正の内容】
【特許請求の範囲】
【請求項１】
ホスファターゼポリペプチドをコードする，単離された，濃縮された，または精製された核酸分子であって，前記核酸分子は，
（ａ）配列番号２に記載されるアミノ酸配列を有するポリペプチドをコードする；
（ｂ）（ａ）のヌクレオチド配列の相補体である；
（ｃ）ストリンジェントな条件下で（ａ）のヌクレオチド分子にハイブリダイズし，かつホスファターゼポリペプチドをコードする；
（ｄ）配列番号２に記載されるアミノ酸配列を有するポリペプチドをコードするが，ただし，前記ポリペプチドは，Ｎ末端ドメイン，Ｃ末端触媒ドメイン，触媒ドメイン，Ｃ末端ドメイン，コイルドコイル構造領域，プロリンリッチ領域，スペーサー領域およびＣ末端テールの全部ではないが１またはそれ以上を欠失しており；または
（ｅ）（ｄ）のヌクレオチド配列の相補体である，
のヌクレオチド配列を含むことを特徴とする核酸分子。
【請求項２】
宿主細胞において転写を開始させるのに有効なベクターまたはプロモーターをさらに含む，請求項１記載の核酸分子。
【請求項３】
前記核酸分子が，哺乳動物から単離された，濃縮された，または精製されたものである，請求項１記載の核酸分子。
【請求項４】
前記哺乳動物がヒトである，請求項３記載の核酸分子。
【請求項５】
ストリンジェントな条件下で配列番号２に記載されるアミノ酸配列を有するホスファターゼポリペプチドをコードするヌクレオチド配列にハイブリダイズするヌクレオチド配列を有する核酸を含む，請求項１記載の核酸分子。
【請求項６】
単離され，濃縮され，または精製されたホスファターゼポリペプチドであって，
（ａ）配列番号２に記載される配列と少なくとも約９０％同一であるアミノ酸配列；または
（ｂ）配列番号２に記載されるアミノ酸配列であって，ただし，ポリペプチドは，Ｎ末端ドメイン，Ｃ末端触媒ドメイン，触媒ドメイン，Ｃ末端ドメイン，コイルドコイル構造領域，プロリンリッチ領域，スペーサー領域およびＣ末端テイルからなる群より選択されるドメインの全部ではないが１またはそれ以上を欠失しているアミノ酸配列，
を含むポリペプチド。
【請求項７】
前記ポリペプチドが，哺乳動物から単離され，精製され，または濃縮されたものである，請求項６記載のホスファターゼポリペプチド。
【請求項８】
前記哺乳動物がヒトである，請求項７記載のホスファターゼポリペプチド。
【請求項９】
ホスファターゼポリペプチドまたは前記ポリペプチドのドメインに対して特異的結合親和性を有する抗体または抗体フラグメントであって，前記ポリペプチドは，配列番号２に記載されるアミノ酸配列を含むことを特徴とする抗体または抗体フラグメント。
【請求項１０】
請求項９記載の抗体を産生するハイブリドーマ。
【請求項１１】
請求項６記載のポリペプチドに結合する抗体および負対照抗体を含むキット。
【請求項１２】
ホスファターゼポリペプチドの活性を調節する物質を同定する方法であって，
（ａ）配列番号２に記載されるアミノ酸配列と実質的に同一のホスファターゼポリペプチドを試験物質と接触させ；
（ｂ）前記ポリペプチドの活性を測定し；そして
（ｃ）前記物質が前記ポリペプチドの活性を調節するか否かを判定する，
の各工程を含む方法。
【請求項１３】
細胞においてホスファターゼポリペプチドの活性を調節する物質を同定する方法であって，
（ａ）配列番号２に記載されるアミノ酸配列と実質的に同一の配列を有するホスファターゼポリペプチドを発現させ；
（ｂ）前記細胞に試験物質を加え；そして
（ｃ）細胞表現型または前記ポリペプチドと天然の結合パートナーとの間の相互作用の変化をモニターする，
の各工程を含む方法。
【請求項１４】
配列番号２に記載されるアミノ酸配列と実質的に同一の配列を有するホスファターゼの活性を調節する物質を含む、疾病または疾患を治療するための医薬組成物。
【請求項１５】
前記疾病または疾患が，癌，免疫関連疾病および疾患，心臓血管疾病，脳またはニューロン関連疾病，代謝性疾患および炎症性疾患からなる群より選択される，請求項１４記載の医薬組成物。
【請求項１６】
前記疾病または疾患が，組織の癌；血液または造血細胞起源の癌；乳，結腸，肺，前立腺，子宮頚部，脳，卵巣，膀胱または腎臓の癌からなる群より選択される，請求項１５記載の医薬組成物。
【請求項１７】
前記疾病または疾患が，中枢神経系または末梢神経系疾病，片頭痛；痛み；性的機能不全；気分障害；注意障害；認識障害；低血圧症；高血圧症；精神病性疾患；神経性疾患および運動異常症からなる群より選択される，請求項１５記載の医薬組成物。
【請求項１８】
前記疾病または疾患が，炎症性疾患，例えば慢性関節リウマチ，慢性炎症性腸疾病，慢性炎症性骨盤疾病，多発性硬化症，ぜん息，変形性関節症，乾癬，アテローム性動脈硬化症，鼻炎，自己免疫，および臓器移植拒絶からなる群より選択される，請求項１５記載の医薬組成物。
【請求項１９】
前記物質がインビトロでホスファターゼ活性を調節する，請求項１５記載の医薬組成物。
【請求項２０】
前記物質がホスファターゼ阻害剤である，請求項１９記載の医薬組成物。
【請求項２１】
疾病または疾患の診断道具として試料中においてホスファターゼポリペプチドを検出する方法であって，
（ａ）前記試料を，ハイブリダイゼーションアッセイ条件下で配列番号２に記載されるアミノ酸配列を有するホスファターゼポリペプチドの核酸標的領域とハイブリダイズする核酸プローブと接触させ，前記プローブは，核酸配列，そのフラグメント，または前記配列およびフラグメントの相補体を含み；そして
（ｂ）標的領域：プローブハイブリッドの存在または量を前記疾病または疾患の指標として検出する，
の各工程を含む方法。
【請求項２２】
前記疾病または疾患が，癌，免疫関連疾病および疾患，心臓血管疾病，脳またはニューロン関連疾病，代謝性疾患および炎症性疾患からなる群より選択される，請求項２１記載の方法。
【請求項２３】
前記疾病または疾患が，組織の癌；血液または造血細胞起源の癌；乳，結腸，肺，前立腺，子宮頚部，脳，卵巣，膀胱または腎臓の癌からなる群より選択される，請求項２２記載の方法。
【請求項２４】
前記疾病または疾患が，中枢神経系または末梢神経系疾病，片頭痛，痛み；性的機能不全；気分障害；注意障害；認識障害；低血圧症；高血圧症；精神病性疾患；神経性疾患；および運動異常症からなる群より選択される，請求項２２記載の方法。
【請求項２５】
前記疾病または疾患が，炎症性疾患，例えば慢性関節リウマチ，慢性炎症性腸疾病，慢性炎症性骨盤疾病，多発性硬化症，ぜん息，変形性関節症，乾癬，アテローム性動脈硬化症，鼻炎，自己免疫，および臓器移植拒絶からなる群より選択される，請求項２２記載の方法。
【請求項２６】
配列番号２の配列を有するホスファターゼポリペプチドのドメインをコードする核酸分子を含む，単離された，濃縮されたまたは精製された核酸分子。
【請求項２７】
配列番号２に記載されるポリペプチドと少なくとも９０％の同一性を有するアミノ酸配列を有するポリペプチドをコードするヌクレオチド配列を含む，ホスファターゼポリペプチドをコードする単離された，濃縮されたまたは精製された核酸分子。
【請求項２８】
分子が，配列番号１の配列と実質的に同一のヌクレオチド配列を含む，請求項１記載の単離された，濃縮されたまたは精製された核酸分子。
【請求項２９】
配列番号２のポリペプチドをコードする核酸配列の約１０−３０個の連続するヌクレオチド塩基から本質的になる，単離された，濃縮されたまたは精製された核酸分子。
【請求項３０】
配列番号１の核酸配列の約１０−３０個の連続するヌクレオチド塩基から本質的になる，請求項２９記載の単離された，濃縮されたまたは精製された核酸分子。
【請求項３１】
請求項１記載の核酸分子を含む組換え細胞。
【請求項３２】
請求項１記載の核酸分子を含むベクター。